【手続補正書】
【提出日】平成18年11月28日(2006.11.28)
【手続補正１】
【補正対象書類名】明細書
【補正対象項目名】特許請求の範囲
【補正方法】変更
【補正の内容】
【特許請求の範囲】
【請求項１】  電源から電力を受けて発熱する発熱体と、該発熱体の温度を検知する温度検知体とを有する加熱装置であって、
前記電源から前記発熱体への電力を通電状態あるいは遮断状態に切り換える切り換え手段と、前記温度検知体により得られた検知温度情報に応じて前記切り換え手段の切り換え制御を行って前記発熱体の温度を制御する温度制御手段と、
前記切り換え手段と直列に接続され、前記電源から前記発熱体への電力供給を遮断する電源遮断機構と、前記検知温度情報に基づいて前記発熱体が異常温度であることを検知する異常温度検知手段と、該異常温度検知手段の検知結果に基づいて前記電源遮断機構を制御する電源遮断機構制御手段とを備えたことを特徴とする加熱装置。
【請求項２】  温度検知体の検知温度情報をＡ／Ｄ変換する変換手段と、該変換手段と温度制御手段との情報のやり取りを光信号から電気信号に変換して行う光電変換手段とを有し、異常温度検知手段は前記光電変換手段を介して送られてきた検知温度情報に基づいて前記発熱体が異常温度であることを検知し、温度制御手段は前記検知温度情報を受けて切り換え手段の切り換えを行うことを特徴とする請求項１記載の加熱装置。
【請求項３】  発熱体は、基板の一方の面に設けられ、該基板がセラミックスを主成分としていることを特徴とする請求項１または２記載の加熱装置。
【請求項４】  温度検知体は、基板の他方の面に設けられていることを特徴とする請求項３記載の加熱装置。
【請求項５】  電源から電力を受けて発熱する発熱体と、該発熱体の温度を検知する温度検知体とを有する加熱装置の制御方法であって、
前記電源から前記発熱体への電力供給を通電状態あるいは遮断状態に切り換える切り換え手段を設けておき、前記温度検知体により得られた検知温度情報に応じて前記切り換え手段の切り換え制御を行って前記発熱体の温度を制御し、前記切り換え手段と直列に接続され、前記電源から前記発熱体への電力供給を遮断する電源遮断機構と、前記検知温度情報に基づいて前記発熱体が異常温度であることを検知する異常温度検知手段とを設けておき、該異常温度検知手段の検知結果に基づいて前記電源遮断機構を制御することを特徴とする加熱装置の制御方法。
【請求項６】  温度検知体の検知温度情報をＡ／Ｄ変換する変換手段と、該変換手段と温度制御手段との情報のやり取りを光信号から電気信号に変換して行う光電変換手段とを設けておき、異常温度検知手段は前記光電変換手段を介して送られてきた検知温度情報に基づいて前記発熱体が異常温度であることを検知し、温度制御手段は前記検知温度情報を受けて切り換え手段の切り換えを行うことを特徴とする請求項５記載の加熱装置の制御方法。
【請求項７】  電源から電力を受けて発熱する発熱体と、該発熱体の温度を検知する温度検知体とを有する加熱装置を備えた定着装置であって、
前記電源から前記発熱体への電力を通電状態あるいは遮断状態に切り換える切り換え手段と、前記温度検知体により得られた検知温度情報に応じて前記切り換え手段の切り換え制御を行って前記発熱体の温度を制御する温度制御手段と、前記切り換え手段と直列に接続され、前記電源から前記発熱体への電力供給を遮断する電源遮断機構と、前記検知温度情報に基づいて前記発熱体が異常温度であることを検知する異常温度検知手段と、該異常温度検知手段の検知結果に基づいて前記電源遮断機構を制御する電源遮断機構制御手段とを備えたことを特徴とする定着装置。
【請求項８】  温度検知体の検知温度情報をＡ／Ｄ変換する変換手段と、該変換手段と温度制御手段との情報のやり取りを光信号から電気信号に変換して行う光電変換手段とを有し、異常温度検知手段は前記光電変換手段を介して送られてきた検知温度情報に基づいて前記発熱体が異常温度であることを検知し、温度制御手段は前記検知温度情報を受けて切り換え手段の切り換えを行うことを特徴とする請求項７記載の定着装置。
【請求項９】  発熱体は、基板の一方の面に設けられ、該基板がセラミックスを主成分としていることを特徴とする請求項７または８記載の定着装置。
【請求項１０】  温度検知体は、基板の他方の面に設けられていることを特徴とする請求項９記載の定着装置。
【請求項１１】  電源から電力を受けて発熱する発熱体と、該発熱体の温度を検知する温度検知体とを有する加熱装置を備えた定着装置を有し、前記電源から前記発熱体への電力を通電状態あるいは遮断状態に切り換える切り換え手段と、前記温度検知体により得られた検知温度情報に応じて前記切り換え手段の切り換え制御を行って前記発熱体の温度を制御する温度制御手段と、前記切り換え手段と直列に接続され、前記電源から前記発熱体への電力供給を遮断する電源遮断機構と、前記検知温度情報に基づいて前記発熱体が異常温度であることを検知する異常温度検知手段と、該異常温度検知手段の検知結果に基づいて前記電源遮断機構を制御する電源遮断機構制御手段とを備えたことを特徴とする画像形成装置。
【請求項１２】  温度検知体の検知温度情報をＡ／Ｄ変換する変換手段と、該変換手段と温度制御手段との情報のやり取りを光信号から電気信号に変換して行う光電変換手段とを有し、異常温度検知手段は前記光電変換手段を介して送られてきた検知温度情報に基づいて前記発熱体が異常温度であることを検知し、温度制御手段は前記検知温度情報を受けて切り換え手段の切り換えを行うことを特徴とする請求項１１記載の画像形成装置。
【請求項１３】  発熱体は、基板の一方の面に設けられ、該基板がセラミックスを主成分としていることを特徴とする請求項１１または１２記載の画像形成装置。
【請求項１４】  温度検知体は、基板の他方の面に設けられていることを特徴とする請求項１３記載の画像形成装置。
【手続補正２】
【補正対象書類名】明細書
【補正対象項目名】００１３
【補正方法】変更
【補正の内容】
【００１３】
（１）電源から電力を受けて発熱する発熱体と、該発熱体の温度を検知する温度検知体とを有する加熱装置であって、前記電源から前記発熱体への電力を通電状態あるいは遮断状態に切り換える切り換え手段と、前記温度検知体により得られた検知温度情報に応じて前記切り換え手段の切り換え制御を行って前記発熱体の温度を制御する温度制御手段と、前記切り換え手段と直列に接続され、前記電源から前記発熱体への電力供給を遮断する電源遮断機構と、前記検知温度情報に基づいて前記発熱体が異常温度であることを検知する異常温度検知手段と、該異常温度検知手段の検知結果に基づいて前記電源遮断機構を制御する電源遮断機構制御手段とを備えた。
【手続補正３】
【補正対象書類名】明細書
【補正対象項目名】００１７
【補正方法】変更
【補正の内容】
【００１７】
（５）電源から電力を受けて発熱する発熱体と、該発熱体の温度を検知する温度検知体とを有する加熱装置の制御方法であって、前記電源から前記発熱体への電力供給を通電状態あるいは遮断状態に切り換える切り換え手段を設けておき、前記温度検知体により得られた検知温度情報に応じて前記切り換え手段の切り換え制御を行って前記発熱体の温度を制御し、前記切り換え手段と直列に接続され、前記電源から前記発熱体への電力供給を遮断する電源遮断機構と、前記検知温度情報に基づいて前記発熱体が異常温度であることを検知する異常温度検知手段とを設けておき、該異常温度検知手段の検知結果に基づいて前記電源遮断機構を制御するようにした。
【手続補正４】
【補正対象書類名】明細書
【補正対象項目名】００１９
【補正方法】変更
【補正の内容】
【００１９】
（７）電源から電力を受けて発熱する発熱体と、該発熱体の温度を検知する温度検知体とを有する加熱装置を備えた定着装置であって、前記電源から前記発熱体への電力供給を通電状態あるいは遮断状態に切り換える切り換え手段と、前記温度検知体により得られた検知温度情報に応じて前記切り換え手段の切り換え制御を行って前記発熱体の温度を制御する温度制御手段と、前記切り換え手段と直列に接続され、前記電源から前記発熱体への電力供給を遮断する電源遮断機構と、前記検知温度情報に基づいて前記発熱体が異常温度であることを検知する異常温度検知手段と、該異常温度検知手段の検知結果に基づいて前記電源遮断機構を制御する電源遮断機構制御手段とを備えた。
【手続補正５】
【補正対象書類名】明細書
【補正対象項目名】００２３
【補正方法】変更
【補正の内容】
【００２３】
（１１）画像形成装置において、電源から電力を受けて発熱する発熱体と、該発熱体の温度を検知する温度検知体とを有する加熱装置を備えた定着装置を有し、前記電源から前記発熱体への電力供給を通電状態あるいは遮断状態に切り換える切り換え手段と、前記温度検知体により得られた検知温度情報に応じて前記切り換え手段の切り換え制御を行って前記発熱体の温度を制御する温度制御手段と、前記切り換え手段と直列に接続され、前記電源から前記発熱体への電力供給を遮断する電源遮断機構と、前記検知温度情報に基づいて前記発熱体が異常温度であることを検知する異常温度検知手段と、該異常温度検知手段の検知結果に基づいて前記電源遮断機構を制御する電源遮断機構制御手段とを備えた。